(57)【要約】【課題】  梱包用発泡緩衝材を使用した後、この梱包用発泡緩衝材を簡単に小さく分割して処理できるようにすると共に、この梱包用発泡緩衝材が使用前等において簡単に壊れたりすることがないようにする。【解決手段】  被梱包物の端部を収容させる収容凹部１１が設けられた梱包用発泡緩衝材１０において、収容凹部が形成された梱包用発泡緩衝材の内部壁面１０ａに、収容凹部の開口部分１１ａから内部端面１０ｂに向かう第１分割用溝１３を設けると共に、この内部端面に第２分割用溝１４を設け、上記の第１分割用溝と第２分割用溝とを分離させて形成した。【選択図】  図１
2010018285.tif 000002
【特許請求の範囲】
【請求項１】
被梱包物の端部を収容させる収容凹部が設けられた梱包用発泡緩衝材において、収容凹部が形成された梱包用発泡緩衝材の内部壁面に、収容凹部の開口部分から内部端面に向かう第１分割用溝が設けられると共に、上記の内部端面に第２分割用溝が設けられ、上記の第１分割用溝と第２分割用溝とが分離されて形成されていることを特徴とする梱包用発泡緩衝材。
【請求項２】
請求項１に記載した梱包用発泡緩衝材において、上記の第１分割用溝の溝幅が収容凹部の開口部分から内部端面に向かいテーパー状に収縮して形成されていることを特徴とする梱包用発泡緩衝材。
【請求項３】
請求項１又は請求項２に記載した梱包用発泡緩衝材において、上記の内部壁面から内部に突出された内部緩衝用突起が収容凹部の開口部分から内部端面に向かって形成され、この内部緩衝用突起に沿って上記の第１分割用溝が形成されていることを特徴とする梱包用発泡緩衝材。
【請求項４】
請求項１〜請求項３の何れか１項に記載した梱包用発泡緩衝材において、その外部壁面に上記の第１分割用溝と対応するようにして分割補助溝が設けられていることを特徴とする梱包用発泡緩衝材。
【請求項５】
請求項１〜請求項４の何れか１項に記載した梱包用発泡緩衝材において、上記の第２分割用溝が上記の内部壁面との交差部に沿うようにして内部端面に形成されていることを特徴とする梱包用発泡緩衝材。
【請求項６】
請求項１〜請求項５の何れか１項に記載した梱包用発泡緩衝材において、この梱包用発泡緩衝材が収容凹部を有する箱状に形成され、各内部壁面に第１分割用溝が形成されると共に、上記の第２分割用溝が内部端面に上記の内部壁面との交差部に沿った環状に形成されていることを特徴とする梱包用発泡緩衝材。
【発明の詳細な説明】
【技術分野】
【０００１】
本発明は、被梱包物を梱包箱内に収容させて搬送させる場合等において、被梱包物を衝撃等から保護するのに使用する梱包用発泡緩衝材に係り、特に、梱包用発泡緩衝材を使用した後、この梱包用発泡緩衝材を簡単に小さく分割して処理できるようにすると共に、この梱包用発泡緩衝材が使用前等において簡単に壊れたりすることがないようにした点に特徴を有するものである。
【背景技術】
【０００２】
従来から、複写機やプリンタ等の画像形成装置に用いる各種のユニットやカートリッジなどの各種の被梱包物を、段ボールなどで構成された梱包箱内に収容させて、運搬したり、保管したりすることが行われている。
【０００３】
そして、上記のような各種の被梱包物を梱包箱内に収容させるにあたっては、これらの被梱包物に衝撃が加わって被梱包物が破損したりするのを防止するため、この被梱包物を収容させる梱包箱内に発泡材料で構成された梱包用発泡緩衝材を配置させ、この梱包用発泡緩衝材によって被梱包物に加わる衝撃を緩和させることが行われている。
【０００４】
そして、このような梱包用発泡緩衝材としては、例えば、箱状になった梱包用発泡緩衝材の収容凹部内に梱包物の端部を挿入させて保持させるようにしたものや、一対の梱包用発泡緩衝材に設けた収容凹部内に梱包物の端部を挟み込むようにしたもの等、様々なものが使用されている。
【０００５】
ここで、このような梱包用発泡緩衝材を使用した後、この梱包用発泡緩衝材を処理するにあたり、従来においては、この梱包用発泡緩衝材をそのままの状態で搬送し、保管して処理するようにしていた。
【０００６】
しかし、このように梱包用発泡緩衝材をそのままの状態で搬送したり、保管したりする場合、この梱包用発泡緩衝材が嵩張り、特に、収容凹部内に梱包物の端部を挿入させて保持させるようになった箱状の梱包用発泡緩衝材の場合には、その容積が大きくなり、輸送コストや保管コストが高くついたり、その処理が面倒になる等の問題があった。
【０００７】
このため、従来においては、特許文献１に示されるように、発泡緩衝材の適当な位置に分割用の溝を設け、この分割用の溝によって発泡緩衝材を分割させるようにしたものが提案されており、このような発泡緩衝材として、収容凹部の直交する２面に連続して分割用の溝を設けるようにしたものが示されている。
【０００８】
しかし、このように収容凹部の直交する２面に連続して分割用の溝を設けた場合、この分割用の溝を設けた部分における発泡緩衝材の強度が大きく低下し、この発泡緩衝材を使用する前に障害物に衝突する等により負荷が加わると、この発泡緩衝材が分割用の溝の部分において勝手に割れてしまって使用できなくなる等の問題があった。
【特許文献１】特開平８−２５８８６８号公報
【発明の開示】
【発明が解決しようとする課題】
【０００９】
本発明は、被梱包物を梱包箱内に収容させて搬送させる場合等において、被梱包物を衝撃等から保護するのに使用する梱包用発泡緩衝材における上記のような問題を解決することを課題とするものである。
【００１０】
すなわち、本発明においては、上記のような梱包用発泡緩衝材を使用した後、この梱包用発泡緩衝材を簡単に小さく分割して処理できるようにすると共に、この梱包用発泡緩衝材が使用前等において簡単に壊れたりすることがないようにすることを課題とするものである。
【課題を解決するための手段】
【００１１】
本発明における梱包用発泡緩衝材においては、上記のような課題を解決するため、被梱包物の端部を収容させる収容凹部が設けられた梱包用発泡緩衝材において、収容凹部が形成された梱包用発泡緩衝材の内部壁面に、収容凹部の開口部分から内部端面に向かう第１分割用溝を設けると共に、上記の内部端面に第２分割用溝を設けるにあたり、上記の第１分割用溝と第２分割用溝とを分離させて形成するようにしたのである。
【００１２】
ここで、上記の梱包用発泡緩衝材において、その内部壁面に第１分割用溝を形成するにあたっては、この第１分割用溝の溝幅を収容凹部の開口部分から内部端面に向かいテーパー状に収縮して形成することができる。
【００１３】
また、上記の梱包用発泡緩衝材においては、その内部壁面から内部に突出された内部緩衝用突起を収容凹部の開口部分から内部端面に向かって形成し、この内部緩衝用突起に沿って上記の第１分割用溝を形成することができる。
【００１４】
また、上記の梱包用発泡緩衝材においては、その外部壁面に上記の第１分割用溝と対応するようにして分割補助溝を設けることができる。
【００１５】
また、上記の梱包用発泡緩衝材において、内部端面に上記の第２分割用溝を設けるにあたっては、上記の内部壁面と内部端面との交差部に沿うようにして第２分割用溝を設けることができ、例えば、この梱包用発泡緩衝材が収容凹部を有する箱状に形成されている場合には、収容凹部が設けられた各内部壁面に第１分割用溝を形成すると共に、上記の内部端面に第２分割用溝を上記の内部壁面との交差部に沿った環状に形成することができる。
【発明の効果】
【００１６】
本発明の梱包用発泡緩衝材においては、収容凹部が形成された梱包用発泡緩衝材の内部壁面に収容凹部の開口部分から内部端面に向かう第１分割用溝を設けると共に、上記の内部端面に第２分割用溝を設けるようにしたため、この第１分割用溝と第２分割用溝とに沿ってこの梱包用発泡緩衝材を切断させて、梱包用発泡緩衝材を小さく分割することができるようになり、梱包用発泡緩衝材を使用した後、この梱包用発泡緩衝材を搬送したり、保管したりして処理する場合に、梱包用発泡緩衝材が嵩張るということがなく、輸送コストや保管コスト等が低減されると共に、その処理も容易に行えるようになる。
【００１７】
また、本発明の梱包用発泡緩衝材においては、上記の第１分割用溝と第２分割用溝とを設けるにあたり、第１分割用溝と第２分割用溝とを分離させて形成するようにしたため、収容凹部の直交する２面に連続して分割用の溝を設けた場合のように、分割用の溝を設けた部分における梱包用発泡緩衝材の強度が大きく低下するということがなく、この梱包用発泡緩衝材を使用する前に、障害物に衝突する等により負荷が加わった場合においても、この梱包用発泡緩衝材が勝手に割れるのが防止されるようになる。
【００１８】
また、本発明の梱包用発泡緩衝材において、上記の第１分割用溝の溝幅を収容凹部の開口部分から内部端面に向かいテーパー状に収縮して形成すると、第１分割用溝と第２分割用溝とを設けた部分における梱包用発泡緩衝材の強度が低下するのが一層抑制されると共に、この第１分割用溝に沿って梱包用発泡緩衝材を切断させて分割することも適切に行えるようになる。
【００１９】
また、本発明の梱包用発泡緩衝材において、収容凹部が設けられた内部壁面から内部に突出された内部緩衝用突起を、収容凹部の開口部分から内部端面に向かって形成し、この内部緩衝用突起に沿って上記の第１分割用溝を形成すると、この第１分割用溝によって内部緩衝用突起の緩衝効果が向上される。
【００２０】
また、本発明の梱包用発泡緩衝材において、その外部壁面に上記の第１分割用溝と対応するようにして分割補助溝を設けると、上記の第１分割用溝に沿って梱包用発泡緩衝材を切断させて、梱包用発泡緩衝材を小さく分割する作業がより簡単に行えるようになる。
【００２１】
また、本発明の梱包用発泡緩衝材において、内部端面に上記の第２分割用溝を設けるにあたり、内部端面と内部壁面との交差部に沿うようにして第２分割用溝を設けると、この第２分割用溝に沿って梱包用発泡緩衝材の端部を簡単に切断させて分離できるようになる。特に、この梱包用発泡緩衝材が収容凹部を有する箱状に形成された場合において、収容凹部が設けられた各内部壁面に第１分割用溝を形成すると共に、上記の内部端面に第２分割用溝を上記の内部壁面との交差部に沿った環状に形成すると、各内部壁面に形成された第１分割用溝に沿って梱包用発泡緩衝材を切断させると共に、梱包用発泡緩衝材の端部を上記の第２分割用溝に沿って切断させて、これらを小さく分割させることが容易に行えるようになる。
【発明を実施するための最良の形態】
【００２２】
次に、本発明の実施形態に係る梱包用発泡緩衝材を添付図面に基づいて具体的に説明する。なお、本発明に係る梱包用発泡緩衝材は、下記の実施形態に示したものに限定されず、その要旨を変更しない範囲において適宜変更して実施できるものである。
【００２３】
この実施形態においては、図１に示すように、発泡スチロール等の発泡弾性材料で構成された梱包用発泡緩衝材１０の一端側に、被梱包物（図示せず）の端部を収容させる収容凹部１１が凹設されて、この梱包用発泡緩衝材１０が箱状に形成されている。
【００２４】
そして、このように収容凹部１１が形成された梱包用発泡緩衝材１０の各内部壁面１０ａには、収容凹部１１内に収容された被梱包物の端部を保持するように内部に突出された様々な内部緩衝用突起１２が、収容凹部１１の開口部分１１ａから内部端面１０ｂに向かって形成されると共に、各内部緩衝用突起１２に沿ってＶ字状の第１分割用溝１３が収容凹部１１の開口部分１１ａから内部端面１０ｂに向かって形成されている。
【００２５】
また、この梱包用発泡緩衝材１０における内部端面１０ｂにおいては、Ｖ字状の第２分割用溝１４が上記の内部壁面１０ａとの交差部に沿って環状に形成されていると共に、この内部端面１０ｂの中央部には貫通穴１５が設けられている。
【００２６】
ここで、上記の第１分割用溝１３は、図１及び図２に示すように、その溝幅及び溝深さが収容凹部１１の開口部分１１ａから内部端面１０ｂに向かってテーパー状に収縮して内部端面１０ｂに到達しないように形成されており、この内部端面１０ｂに形成された上記の第２分割用溝１４と分離されている。
【００２７】
また、上記の内部緩衝用突起１２の中の適当な内部緩衝用突起１２においては、その幅方向中央部に、上記の第１分割用溝１３と同様に溝幅及び溝深さが収容凹部１１の開口部分１１ａから内部端面１０ｂに向かってテーパー状に収縮したＶ字状の緩衝用溝１２ａが設けられており、この緩衝用溝１２ａによって内部緩衝用突起１２における緩衝効果が高められる。
【００２８】
また、上記の梱包用発泡緩衝材１０の各外部壁面１０ｂには、外方に突出された様々な外部緩衝用突起１６が、上記の内部緩衝用突起１２と同様に収容凹部１１の開口部分１１ａ側から内部端面１０ｂ側に向かって形成されると共に、適当な外部緩衝用突起１６に沿って、上記の第１分割用溝１３と対応するように、一定の溝幅及び溝深さになったＶ字状の分割補助溝１７が設けられており、さらに適当な外部緩衝用突起１６においては、その幅方向中央部に一定の溝幅及び溝深さになったＶ字状の緩衝用溝１６ａが設けられている。
【００２９】
ここで、上記のように外部緩衝用突起１６に沿って分割補助溝１７を設けるようにし、またその幅方向中央部に緩衝用溝１６ａを設けるようにすると、上記の分割補助溝１７や緩衝用溝１６ａによって、これらが設けられた外部緩衝用突起１６の緩衝効果が高められる。
【００３０】
また、上記の第１分割用溝１３と対応するようにして梱包用発泡緩衝材１０の各外部壁面１０ｂ設けられた分割補助溝１７によって、この梱包用発泡緩衝材１０を第１分割用溝１３に沿って切断させて分割させる作業がより容易に行えるようになる。
【００３１】
なお、この実施形態の梱包用発泡緩衝材１０においては、上記の分割補助溝１７及び緩衝用溝１６ａを一定の溝幅及び溝深さで形成して、外部緩衝用突起１６における緩衝効果をより高めるようにしたが、上記の分割補助溝１７によって梱包用発泡緩衝材１０の強度が低下する場合には、上記の第１分割用溝１３と同様に、その溝幅及び溝深さを収容凹部１１の開口部分１１ａ側から内部端面１０ｂ側に向かってテーパー状に収縮させるようにすることも可能である。
【００３２】
ここで、この実施形態の梱包用発泡緩衝材１０においては、前記のように各内部壁面１０ａに設けられた各第１分割用溝１３が、内部端面１０ｂに形成された第２分割用溝１４と分離された状態になっているため、障害物に衝突する等により、この梱包用発泡緩衝材１０に負荷が加わった場合においても、この梱包用発泡緩衝材１０が上記の第１分割用溝１３と第２分割用溝１４とに沿って割れるのが防止される。
【００３３】
一方、この実施形態の梱包用発泡緩衝材１０を使用した後、この梱包用発泡緩衝材１０を処理するにあたっては、各内部壁面１０ａに設けられた第１分割用溝１３に沿って梱包用発泡緩衝材１０を切断させると共に、上記の内部端面１０ｂに設けられた環状の第２分割用溝１４に沿って梱包用発泡緩衝材１０の端部を切断させることができ、箱状になった梱包用発泡緩衝材１０を簡単に小さく分割させることができるようになる。
【００３４】
このため、使用後の梱包用発泡緩衝材１０を処理するにあたって、この梱包用発泡緩衝材１０を搬送したり、保管したりして処理する場合に、梱包用発泡緩衝材１０が嵩張るということがなくなり、輸送コストや保管コスト等が低減されると共に、その処理も容易に行えるようになる。
【図面の簡単な説明】
【００３５】
【図１】本発明の一実施形態に係る梱包用発泡緩衝材を示した概略斜視図である。
【図２】上記の実施形態に係る梱包用発泡緩衝材において、その内部壁面に設けられた内部緩衝用突起に沿って、第１分割用溝を収容凹部の開口部分から内部端面に向かって形成する状態を示した部分説明図である。
【符号の説明】
【００３６】
１０  梱包用発泡緩衝材
１０ａ  内部壁面
１０ｂ  内部端面
１０ｃ  外部壁面
１１  収容凹部
１１ａ  開口部分
１２  内部緩衝用突起
１２ａ  緩衝用溝
１３  第１分割用溝
１４  第２分割用溝
１５  貫通穴
１６  外部緩衝用突起
１６ａ  緩衝用溝
１７  分割補助溝
【図１】
2010018285.tif 000003
【図２】
2010018285.tif 000004